(57)【特許請求の範囲】
【請求項１】
開閉体がシャフトに巻き取り及び繰り出し可能に取付けられ、前記開閉体がガイドレールに両端部をガイドされながら巻き取り及び繰り出されることにより開口部を開閉する開閉装置において、
前記シャフトに回転駆動源の回転駆動力を伝達する回転力伝達軸が前記シャフトの回転中心線を中心として回転するように前記シャフトに連結され、前記回転力伝達軸の両端部がシャフトの両端面より突出して、前記回転力伝達軸の両端部が建物の躯体に固定されたブラケットに取付けられた軸受部材に回転可能に取付けられており、
前記シャフトの端面がガイドレールの内底面位置よりも前記開口部の中央に近い位置に来るように設置され、
前記シャフトに巻取られた前記開閉体の横ずれを規制する横ずれ防止部材が、前記ガイドレールの内底面と同一平面上又は前記ガイドレールの内底面位置よりも前記開口部の中央に近い位置で、かつ、前記シャフトの端面とシャフトの回転中心線に沿った方向において間隔を隔てた位置に来るように、連結部材を介して前記シャフトに取付けられ、
前記間隔は、前記回転力伝達軸の周面に取付けられて当該回転力伝達軸の軸に沿った方向の移動を規制するための軸移動規制部材における前記シャフトの回転中心線に沿った方向の厚さ寸法よりも大きい間隔に形成され、
前記横ずれ防止部材は、前記回転力伝達軸を貫通させる貫通孔を備え、
前記軸移動規制部材は、前記回転力伝達軸を貫通させる貫通孔を備えた円筒状部材と、当該円筒状部材を前記回転力伝達軸に固定するための固定手段とを備え、
前記回転力伝達軸の周面に装着された前記軸移動規制部材が、前記横ずれ防止部材の前記貫通孔を通過可能で、当該軸移動規制部材が前記横ずれ防止部材の前記貫通孔の内側に設置されたことを特徴とする開閉装置。  
【請求項２】
前記横ずれ防止部材の前記貫通孔の径寸法は、前記軸移動規制部材の前記円筒状部材の前記貫通孔に前記回転力伝達軸を貫通させ前記固定手段としての固定ボルトを緩めた状態において当該円筒状部材の外周から突出する前記固定ボルトの長さ寸法＋前記円筒状部材の外周半径寸法の２倍よりも大きい寸法に形成されたことを特徴とする請求項１に記載の開閉装置。  
【発明の詳細な説明】
【技術分野】
【０００１】
本発明は、シャフトに巻き取られたシャッターカーテンのような開閉体の横ずれを防止する横ずれ防止部材をシャフトの端に備えた開閉装置に関する。
【背景技術】
【０００２】
開閉体としてのシャッターカーテンがシャフトに巻き取り及び繰り出し可能に取付けられ、シャッターカーテンがガイドレールに両端部をガイドされながら巻取り及び巻出されることにより開口部を開閉する開閉装置としてのシャッター装置であって、シャフトに回転力を伝達する回転力伝達軸がシャフトの回転中心線を中心として回転するようにシャフトに連結され、当該回転力伝達軸の両端部がシャフトの両端より突出して、当該回転力伝達軸の両端部が建物の躯体に固定されたブラケットに取付けられた軸受部材に回転可能に取付けられ、かつ、シャフトに巻取られたシャッターカーテンの横ずれを規制する横ずれ防止部としての円盤状部材が、ガイドレールの内底面と同一平面上に位置するように、回転力伝達軸の周囲に固定された構成のシャッター装置が知られている（例えば特許文献１等参照）。
【先行技術文献】
【特許文献】
【０００３】
【特許文献１】特開２０１０−１５６１１５号公報
【発明の概要】
【発明が解決しようとする課題】
【０００４】
しかしながら上述した従来の開閉装置では、横ずれ防止部が、ガイドレールの内底面と同一平面上に位置するように回転力伝達軸の周囲に固定されている。
従って、図４に示すように（尚、図４において後述する図２に示す構成部品に相当する部分には同じ符号を付している）、回転力伝達軸１７の軸に沿った方向の移動を規制するためのカラーと呼ばれる軸移動規制部材２３を、躯体１４に固定されたブラケット２１に取付けられた軸受部材２２と横ずれ防止部材４１との間に位置する回転力伝達軸１７の周面に固定して設けなくてはならず、ブラケット２１と横ずれ防止部材４１との間の間隔Ｙの寸法を、軸受部材２２におけるシャフト６の回転中心線６ａに沿った方向の厚さ寸法＋軸移動規制部材２３におけるシャフト６の回転中心線６ａに沿った方向の厚さ寸法よりも大きくしなければならないため、シャッター装置のケース２の幅寸法が大きくなってしまうといった問題点があった。また、シャフト６の回転中心線６ａに沿った方向の厚さ寸法が大きくなりコストアップになっていた。
本発明は、横ずれ防止部材を備えた開閉装置において、ケースの幅寸法を小さくでき、コンパクト化、及び、コスト低減を実現可能な開閉装置を提供する。
【課題を解決するための手段】
【０００５】
本発明に係る開閉装置は、開閉体がシャフトに巻き取り及び繰り出し可能に取付けられ、前記開閉体がガイドレールに両端部をガイドされながら巻き取り及び繰り出されることにより開口部を開閉する開閉装置において、前記シャフトに回転駆動源の回転駆動力を伝達する回転力伝達軸が前記シャフトの回転中心線を中心として回転するように前記シャフトに連結され、前記回転力伝達軸の両端部がシャフトの両端面より突出して、前記回転力伝達軸の両端部が建物の躯体に固定されたブラケットに取付けられた軸受部材に回転可能に取付けられており、前記シャフトの端面がガイドレールの内底面位置よりも前記開口部の中央に近い位置に来るように設置され、前記シャフトに巻取られた前記開閉体の横ずれを規制する横ずれ防止部材が、前記ガイドレールの内底面と同一平面上又は前記ガイドレールの内底面位置よりも前記開口部の中央に近い位置で、かつ、前記シャフトの端面とシャフトの回転中心線に沿った方向において間隔を隔てた位置に来るように、連結部材を介して前記シャフトに取付けられ、前記間隔は、前記回転力伝達軸の周面に取付けられて当該回転力伝達軸の軸に沿った方向の移動を規制するための軸移動規制部材における前記シャフトの回転中心線に沿った方向の厚さ寸法よりも大きい間隔に形成され、前記横ずれ防止部材は、前記回転力伝達軸を貫通させる貫通孔を備え、前記軸移動規制部材は、前記回転力伝達軸を貫通させる貫通孔を備えた円筒状部材と、当該円筒状部材を前記回転力伝達軸に固定するための固定手段とを備え、前記回転力伝達軸の周面に装着された前記軸移動規制部材が、前記横ずれ防止部材の前記貫通孔を通過可能で、当該軸移動規制部材が前記横ずれ防止部材の前記貫通孔の内側に設置されたことを特徴とする。
前記横ずれ防止部材の前記貫通孔の径寸法は、前記軸移動規制部材の前記円筒状部材の前記貫通孔に前記回転力伝達軸を貫通させ前記固定手段としての固定ボルトを緩めた状態において当該円筒状部材の外周から突出する前記固定ボルトの長さ寸法＋前記円筒状部材の外周半径寸法の２倍よりも大きい寸法に形成されたことも特徴とする。  
【発明の効果】
【０００６】
本発明に係る開閉装置によれば、横ずれ防止部材の貫通孔の内側及び前記間隔の間に位置する回転力伝達軸の周面に軸移動規制部材を配置したので、横ずれ防止部材を備えた開閉装置において、シャフトの長さ寸法及び開閉装置のケースの袖寸法を小さくでき、コンパクト化、及び、コストを低減できる開閉装置を提供できる。  
【図面の簡単な説明】
【０００７】
【図１】実施形態によるシャッター装置を示す斜視図。
【図２】シャッターカーテンを除いた実施形態によるシャッター装置の構成をケース内の上方から見た図（一部断面）。
【図３】実施形態による横ずれ防止手段を示す斜視図。
【図４】シャッターカーテンを除いた従来のシャッター装置の構成をケース内の上方から見た図（一部断面）。
【発明を実施するための形態】
【０００８】
図１に示すように、開閉装置としてのシャッター装置１は、開閉体収容ケースとしてのシャッターケース（以下、ケースと略す）２、開閉機構３、開閉体としてのシャッターカーテン４、ガイドレール５、横ずれ防止手段４０（図２参照）を備える。尚、図１と図４においては、シャフト６の回りの構成をシャフト６の回転中心線６ａを境界として一方側を断面図で示して他方側を外観図で示している。
【０００９】
ケース２は、開閉機構３及びシャッターカーテン４を収容する箱体により形成され、建物の開口部１３の上方に位置する建物の躯体１４にアンカーボルトのような固定具や溶接等の固定手段により固定される。
ガイドレール５；５は、開口部１３を開閉するシャッターカーテン４の側端部４ａ；４ａ（両端部）をガイドする部材であって、開口部１３の開口幅方向（左右方向）に互いに離隔して開口部１３の左；右にそれぞれ立設され、開口部１３の上下方向に延長するガイド溝５ａ；５ａを備える。ガイドレール５；５は、図外の固定部材を介して躯体１４に固定されている。
シャッターカーテン４におけるスラット部材１０ａの長手方向の両端部であるシャッターカーテン４の左右の側端部４ａ；４ａが、ガイドレール５；５の相対向するガイド溝５ａ；５ａを介して、シャッターカーテン４の開閉方向である上下方向にガイドされることで、シャッターカーテン４が上下方向に移動して開口部１３を開閉する。即ち、シャッター装置１のシャッターカーテン４がシャフト６に巻き取られることで建物の開口部１３が開通し、シャッターカーテン４がシャフト６から繰り出される（巻き出される）ことで開口部１３が閉鎖される。
【００１０】
シャッターカーテン４は、スラット１０と水切１１と吊元１２とを備え、スチール等の金属により形成される。
スラット１０は、複数のスラット部材１０ａにより形成される。スラット部材１０ａは、後述するシャフト６の回転中心線６ａに沿った方向に長い長尺部材により形成される。スラット１０は、複数のスラット部材１０ａがスラット部材１０ａの長手方向（スラット部材１０ａの長辺に沿った方向）と直交する方向に連続するように、隣り合うスラット部材１０ａ同士の長手方向の両端位置を揃えて長辺同士が図外の係合部によって互いに接続され、接続部分で折れ曲がり可能となった矩形板状に形成される。
水切１１がスラット１０におけるスラット部材１０ａの長手方向と直交する方向の一端に位置されるスラット部材１０ａの長辺に連結され、吊元１２がスラット１０におけるスラット部材１０ａの長手方向と直交する方向の他端に位置されるスラット部材１０ａの長辺に連結される。
水切１１は、巻取シャフト６の中心線６ａに沿った方向に長く、長手方向（水切１１の長辺に沿った方向）と直交する断面形状が逆Ｔ字形状の長尺部材により形成され、下端に位置する断面逆Ｔ字の横辺に相当する部分が水平部１１ｂとなる。水切１１の長手方向の長さはスラット部材１０ａの長手方向の長さよりも短く、水切１１の長手方向の中心位置とスラット部材１０ａの長手方向の中心位置とを揃えて水切１１の逆Ｔ字の垂直部１１ａの長辺とスラット１０の一端に位置されるスラット部材１０ａの長辺とが図外の係合部によって互いに接続される。
吊元１２は、スラット１０の他端に位置されるスラット部材１０ａの長辺に沿って当該長辺に間欠的に設けられる連結部材であり、後述するように建物の開口部１３の上方に位置する躯体１４に固定されたケース２におけるシャッターカーテン４の図外の出口孔を経由してシャフト６に連結される。
【００１１】
ケース２内に設けられる開閉機構３は、シャッターカーテン４が巻き取り及び繰り出し可能に取付けられたシャフト６と、シャフト６の回転中心線６ａを回転中心として当該シャフト６を回転させる回転駆動機構１５（図２参照）とを備える。
【００１２】
回転駆動機構１５は、モーター等の回転駆動源１６と、シャフト６に回転力を伝達する中子と呼ばれる回転力伝達軸１７；１７と、回転力伝達軸１７；１７を回転可能に支持する支持機構１８と、回転駆動源１６の回転駆動力を一方の回転力伝達軸１７に伝達する動力伝達機構１９とを備える。
【００１３】
支持機構１８は、シャフト６の両端側に位置するように躯体１４に固定されたブラケット２１；２１と、各ブラケット２１；２１にそれぞれ取付けられた軸受部材２２；２２と、回転力伝達軸１７の回転中心線６ａに沿った方向の移動を規制するための軸移動規制部材２３；２３とを備える。軸移動規制部材２３は、中央に回転力伝達軸１７を貫通させる貫通孔を備えた円筒状部材２４と、円筒状部材を回転力伝達軸１７に固定するための固定手段としての固定ボルト２５とを備えた構成であり、シャフト６の一端面６ｘと軸受部材２２との間に位置する一方の回転力伝達軸１７の外周面に固定され、シャフト６の一端面又は軸受部材２２と接触することにより回転力伝達軸１７の軸に沿った方向の移動を規制するものである。
【００１４】
シャフト６は、例えば、中空の円形鋼管により形成される。回転力伝達軸１７；１７は、シャフト６の両端側に設けられて、シャフト６の内側で連結部材２６によりシャフト６と連結されてシャフト６の両端より突出するように設けられる。回転力伝達軸１７は、例えばシャフト６を構成する円形鋼管の内径よりも小径の円形鋼棒により構成される。即ち、回転力伝達軸１７の回転中心線６ａとシャフト６の回転中心線６ａとが一致するように回転力伝達軸１７とシャフト６とが同軸に設けられ、回転力伝達軸１７がシャフト６の回転中心線６ａを中心として回転するように、回転力伝達軸１７とシャフト６とが連結部材２６を介して溶接又はねじ止め等の固定手段により連結されている。尚、シャフト６の両端である円形鋼管の両端の開口には、回転力伝達軸１７を貫通させる貫通孔を有して当該シャフトの両端の開口を塞ぐ蓋材が取付けられており、この蓋材の外面がシャフト６の端面を形成する。
そして、シャフト６の一端面６ｘより突出する一方の回転力伝達軸１７が一方の軸受部材２２に回転可能に支持され、シャフト６の他端面６ｙより突出する他方の回転力伝達軸１７が他方の軸受部材２２に回転可能に支持される。
【００１５】
動力伝達機構１９は、シャフト６の一端面６ｘより突出して一方の軸受部材２２を貫通した一方の回転力伝達軸１７の端部に取付けられた受動側スプロケットホイール２８と、回転駆動源１６の回転出力軸１６ａに取付けられた駆動側スプロケット２９と、駆動側スプロケット２９と受動側スプロケットホイール２８とに掛け渡されたローラーチェーン３０とを備え、回転駆動源１６からの回転力が、回転出力軸１６ａ、駆動側スプロケット２９、ローラーチェーン３０、受動側スプロケットホイール２８を介して一方の回転力伝達軸１７に伝達され、回転力伝達軸１７；１７が軸受部材２２；２２に支持されて回転中心線６ａを回転中心として回転することにより、回転力伝達軸１７；１７と連結されたシャフト６が回転中心線６ａを回転中心として回転する。
【００１６】
シャフト６の両端側に設けられる横ずれ防止手段４０；４０は、それぞれ、横ずれ防止部材４１と、横ずれ防止部材４１をシャフト６の端部の外周面６ｆに連結するための連結部材４２とを備える。
横ずれ防止部材４１は、例えば、中央に貫通孔４７を備えた円板により形成される。
横ずれ防止部材４１を形成する円板の貫通孔４７の径寸法は、軸移動規制部材２３の円筒状部材２４の貫通孔に回転力伝達軸１７を貫通させ固定ボルト２５を緩めた状態において当該円筒状部材２４の外周から突出する固定ボルト２５の長さ寸法ｂ１＋円筒状の外周半径寸法ｂ２の２倍（即ち、２（ｂ１＋ｂ２））よりも大きい寸法に形成される。よって、一方の回転力伝達軸１７の周面に装着された軸移動規制部材２３が横ずれ防止部材４１の貫通孔４７を通過可能で、当該軸移動規制部材２３を貫通孔４７の内側に設置することが可能となる。
横ずれ防止部材４１を形成する円板の外周径寸法はシャフト６の外周径寸法よりも大きい寸法に形成され、貫通孔４７の径寸法はシャフト６の外周径寸法よりも大きい寸法に形成される。よって、横ずれ防止部材４１がシャフト６に巻き取られたシャッターカーテン４の左右の側端と接触してシャッターカーテン４の横ずれを確実に規制できる。
【００１７】
連結部材４２は、横ずれ防止部材４１の円板面４３とシャフト６の一端面６ｘとが平行となり、横ずれ防止部材４１の円板面４３とシャフト６の一端面６ｘとの間隔Ｘが、軸移動規制部材２３のシャフト６の回転中心線６ａに沿った方向の厚さ寸法ａ２よりも大きくなるように、横ずれ防止部材４１をシャフト６の外周面６ｆに取付けるための部材である。
連結部材４２は、例えば、シャフト６の外周面６ｆに溶接やねじ止め等の固定手段で固定されるシャフト側平板部４５と、このシャフト側平板部４５の一端よりシャフト側平板部４５に対して垂直に延長して横ずれ防止部材４１の円板面４３に溶接やねじ止等の固定手段で固定される円板側平板部４６とを備えた、断面Ｌ字状の所謂アングル金具により構成される（図３参照）。
横ずれ防止部材４１を構成する円板は、円板の中心を中心とした円板面４３の円周上において互いに所定角度隔てた位置である数箇所において連結部材４２によりシャフト６の外周面６ｆに固定される。例えば、円板の中心を中心とした円板面４３の円周上において互いに例えば９０°隔てた位置である４箇所において連結部材４２によりシャフト６の外周面６ｆに固定される。
【００１８】
即ち、横ずれ防止手段４０は、横ずれ防止部材４１としての円板がシャフト６に直接取付けられた構成ではなく、横ずれ防止部材４１の円板の円板面４３とシャフト６の一端面６ｘとの間に、回転力伝達軸１７の周面に取付けられた軸移動規制部材２３におけるシャフト６の回転中心線６ａに沿った方向の厚さ寸法ａ２よりも大きい間隔Ｘを形成するために、横ずれ防止部材４１が連結部材４２を介してシャフト６の外周面６ｆに取付けられた構成である。
【００１９】
実施形態によれば、シャフト６の一端面６ｘと対向する横ずれ防止部材４１の横ずれ規制面となる一方の円板面４３とガイドレール５の内底面５ｅとを同一平面上に位置させるとともに、シャフト６の両端がガイドレール５の内底面５ｅよりも開口部１３の中央に近い位置に来るように設置され、かつ、横ずれ防止部材４１とシャフト６の端部の外周面とが連結部材４２で連結されて、横ずれ防止部材４１の横ずれ規制面となる円板面４３とシャフト６の端面との間に、軸移動規制部材２３の厚さ寸法ａ２よりも大きい寸法の間隔Ｘが形成されたので、横ずれ防止部材４１の内側及び前記間隔Ｘの間に位置する回転力伝達軸１７の周面に軸移動規制部材２３を配置可能となる。従って、ブラケット２１と横ずれ防止部材４１との間の間隔Ｙの寸法を、軸受部材２２におけるシャフト６の回転中心線６ａに沿った方向の厚さ寸法ａ１＋軸移動規制部材２３におけるシャフト６の回転中心線６ａに沿った方向の厚さ寸法ａ２よりも小さくできるので、シャフト６の鋼管の全長を短くできるとともに、その短くできた分だけ横ずれ防止部材４１の一方の円板面４３とブラケット２１との対向間隔Ｙを短くでき、その短くできた分だけケース２の幅寸法を小さくできるので、図４に示す従来のシャッター装置と開口幅寸法が同じでかつ横ずれ防止部材４１を備えた構成のシャッター装置を構成する場合において、ケース２の小型化が図れ、コストを低減できる。
言い換えれば、実施形態によれば、シャッター装置１の袖寸法ａを小さくできる。図４に示す従来構成の場合、当該袖寸法ａは、ケース２の側面２Ｘとシャフト６の一端面６ｘとの間の距離＋ガイドレール５の深さ寸法であるが、実施形態によれば、図４に示す従来構成と比べて、袖寸法ａを、横ずれ防止部材４１の円板面４３とシャフト６の一端面６ｘとの間隔Ｘの分だけ短くできる。袖寸法ａを短くできると、建物に対するケース２の収まり（設置性）が良くなるという効果がある。
【００２０】
また、横ずれ防止部材４１の貫通孔４７の内側及び間隔Ｘの間に位置する一方の回転力伝達軸１７の周面に軸移動規制部材２３を配置することにより、従来構成と比べて、袖寸法ａを短くできるとともに、回転力伝達軸１７の軸に沿った方向の移動を規制できる。
尚、図２では、横ずれ防止部材４１の貫通孔４７の内側及び間隔Ｘの間に位置する一方の回転力伝達軸１７の周面に、２つの軸移動規制部材２３；２３を並べて配置した例を示している。このように、横ずれ防止部材４１の貫通孔４７の内側及び間隔Ｘの間に位置する一方の回転力伝達軸１７の周面に複数の軸移動規制部材２３を配置することで、回転力伝達軸１７の軸に沿った方向の移動許容範囲を可能な限り小さくできるので、高品位な回転力伝達軸１７の回転支持機構を構成できる。
また、図２に示すように、横ずれ防止部材４１の貫通孔４７の内側に軸受部材２２の一部を位置させるようにすれば、さらに、袖寸法ａを短くできて好ましい。
【００２１】
また、横ずれ防止部材４１は、連結部材４２を介してシャフト６の外周面６ｆに取付けられたので、間隔Ｘを簡単に形成できる。尚、横ずれ防止部材４１を、連結部材４２を介してシャフト６の内周面に取付けるようにしてもよい。
【００２２】
また、シャッターカーテン４の横ずれは、各スラット部材１０ａ毎に発生する可能性があるが、上記のように横ずれ防止部材４１が円板により構成されていることにより、シャフト６に巻き取られたシャッターカーテン４のスラット部材１０ａが個別に横ずれを起こした場合でも当該各スラット部材１０ａの横ずれを横ずれ防止部材４１で規制できる。
【００２３】
また、シャフト６の両端側に横ずれ防止手段４０を設けたので、シャフト６に巻き取られたシャッターカーテン４の左右両方の横ずれを防止できる。
尚、横ずれ防止手段４０は、シャフト６の一方の端側にのみ設けて、シャフト６の他方の端側には図４に示した構成の横ずれ防止部材４１を設けるようにしてもよい。
【００２４】
尚、横ずれ防止部材４１の規制面となる円板面４３の位置をガイドレール５の内底面５ｅよりも開口部１３の中央に近い位置に来るように設置してもよい。このようにすれば、袖寸法ａをさらに小さくすることができるので、さらに、ケース２の小型化が図れる。
【００２５】
また、横ずれ防止部材４１として、中央に貫通孔４７が形成された孔付きの円板を用いた例を示したが、横ずれ防止部材４１は、上記間隔Ｘを形成するように連結部材４２によりシャフト６に連結された構成であって、かつ、横ずれ防止部材４１の内側及び間隔Ｘの間に位置する回転力伝達軸１７の周面に軸移動規制部材２３や軸受部材２２の一部を配置できるように構成されればよい。
例えば、横ずれ防止部材４１として貫通孔４７付きの円板を用いた場合、円板の貫通孔４７に回転力伝達軸１７を通さなければならないので、円板を後付けすることができない。そこで、回転力伝達軸１７の軸と交差する方向から回転力伝達軸１７に取付けることができるように円板を分割した形状（例えば半円状)の後付可能な横ずれ防止部材４１を用いてもよい。
【００２６】
また、上記では、電動式シャッター装置を例にして説明したが、本願発明は手動式シャッター装置においても適用できる。
【００２７】
本発明の適用対象となる開閉装置の開閉体をシャッターカーテン４とした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
【００２８】
本発明は、ガイドレールを備え、このガイドレールに開閉体が案内されるようなブラインド、ロールスクリーン装置、防煙垂れ幕などの開閉装置にも適用可能である。
【符号の説明】
【００２９】
４  シャッターカーテン（開閉体）、
５  ガイドレール、５ｅ  ガイドレールの内底面、６  シャフト、６ａ  回転中心線、
１３  開口部、１４  躯体、１７  回転力伝達軸、
２１  ブラケット、２２  軸受部材、２３  軸移動規制部材、４１  横ずれ防止部材、
４２  連結部材、４７  貫通孔。
【図１】
0006006524.tif 000002
【図２】
0006006524.tif 000003
【図３】
0006006524.tif 000004
【図４】
0006006524.tif 000005